【事件の表示】
　特願２００３−４１３５７９「パチンコ機」拒絶査定不服審判事件〔平成１６年　３月１８日出願公開、特開２００４−　８１８８６〕について、次のとおり審決する。
【結　論】
　本件審判の請求は、成り立たない。
【理　由】
第一．手続の経緯
　本願は、平成８年１２月１７日に出願された特願平８−３３６８３６号の一部を特許法第４４条（特許出願の分割）に基づく出願として平成１５年１２月１１日に新たに出願したものであって、拒絶理由通知に対応して平成１９年６月１２日に手続補正書が提出され、その後なされた拒絶査定に対し、平成２０年１月１７日に拒絶査定に対する審判請求がなされるとともに、同年１月２５日に手続補正がなされたものである。
　
第二．平成２０年１月２５日付の手続補正についての補正却下の決定
［補正却下の決定の結論］
　平成２０年１月２５日付の手続補正を却下する。
　
［理由］
１．補正後の本願発明
　本件補正により補正された補正後の特許請求の範囲の請求項１に記載された発明（以下「本願補正発明」という）は次のとおりである。
「　遊技域に設けられ、複数の図柄を配列させて表示可能な表示手段と、
　予め所定箇所に設置された通過センサにより遊技球の通過が検知されると、前記表示手段に表示する図柄の配列を設定し、しかも前記配列として所定確率で、予め設定された複数種類の大当たり配列の内のいずれかを設定する設定手段と、
　前記表示手段に、様々な図柄を次々と表示させた後、前記設定手段によって設定された配列を表示する制御手段と、
　該制御手段によって前記表示手段に表示された配列が、前記大当たり配列に一致した場合には、当該パチンコ機の遊技者に特典を付与する特典付与手段と、
　前記制御手段によって前記表示手段に表示された大当たり配列が前記複数種類の中から予め設定された確変配列である場合には、前記設定手段が大当たり配列を設定する確率を、前記所定確率よりも高くし、大当たり配列が設定される確率が高められた状態において、更に大当たり配列として通常配列が前記表示手段に表示されると、前記設定手段が大当たり配列を設定する確率を、前記所定確率に戻す確率変動手段と、
　を備えたパチンコ機において、
　前記設定手段が、
　大当たり配列の総数と同数の種類からなる乱数を発生させる大当たり乱数発生手段と、
　該大当たり乱数発生手段によって発生される各乱数と対応させて、全ての大当たり配列が格納された大当たり配列格納部と、
　前記大当たり配列格納部において、通常配列と対応された乱数
のみ
　大当たり配列の設定を、前記大当たり配列格納部に格納されたものの中から選択することにより行なうものであって、連続して確変配列を設定した回数が所定回数に満たない場合には、前記大当たり乱数発生手段により発生された乱数に基づき、前記選択を行ない、一方、前記所定回数、連続して確変配列を設定した場合には、前記通常乱数発生手段により出力された乱数に基づき、前記選択を行なう乱数選択手段と、
　を備えたものであることを特徴とするパチンコ機。」
（下線部は補正によって追加された箇所）
　
２．補正要件（目的）の検討
　請求項１についての補正は、発明を特定するために必要な事項である「通常乱数発生手段」が発生する乱数について、「通常配列と対応された乱数を発生させる」を「通常配列と対応された乱数のみを発生させる」と「のみ」を新たに付加して、発生する乱数を限定するものであるから、当該補正は、特許請求の範囲の減縮を目的とする補正に相当する。
　したがって、本件補正は、平成１８年法律第５５号による改正前の特許法（以下「改正前特許法」という。）第１７条の２第４項第２号に該当する。
　
３．補正要件（独立特許要件：特許法第２９条第２項）の検討
（１）引用された文献の記載事項
　原査定の拒絶の理由に引用された、特開平８−８０２号公報（以下「引用文献」という）には以下の事項が記載されている。
【０００４】【発明が解決しようとする課題】しかしながら、上記した先行技術は、確率向上期間中に特別表示結果が表示されるかぎり、長期間に亘って確率向上期間が延長されることとなり、遊技場に多大な損害を与えるという欠点がある。本発明は、上記した事情に鑑みなされたもので、その目的とするところは、長期間に亘って確率向上期間が延長されることなく、遊技場に多大な損害を与えることのない弾球遊技機を提供することにある。
【０００８】【実施例】以下、図面を参照して、本発明の実施例について説明する。まず、図１及び第２図を参照して、実施例に係る弾球遊技機の一例としてのパチンコ遊技機の遊技盤１の構成について説明する。図１は、遊技盤１の正面図であり、図２は、遊技盤１の背面図である。図において、遊技盤１の表面には、発射された打玉を誘導するための誘導レール２がほぼ円状に植立され、該誘導レール２で区画された領域が遊技領域３を構成している。遊技領域３のほぼ中央上部には、２つの可変表示部材３５、３８ａ〜３８ｃを有する可変表示装置３０が配置されている。
【０００９】可変表示装置３０の２つの可変表示部材３５、３８ａ〜３８ｃのうち、上部に設けられる普通図柄用可変表示器３５は、１個の７セグメントＬＥＤで構成され、後述する通過口２１ａ，２１ｂに打玉が通過したことに基づいて可変表示し、その表示結果が予め定めた特定表示結果となったときに、後述する電動始動入賞口６を一定時間開放するものである。また、下部に設けられる可変表示部材３８ａ〜３８ｃは、複数（３つ）の識別情報（図柄）を表示することが可能な回転ドラム３８ａ〜３８ｃで構成され、後述する始動口装置４の始動入賞口５又は電動始動入賞口６に打玉が入賞したことに基づいて可変表示し、その表示結果が予め定めた大当り図柄の組合せ（特定表示結果）となったときに、特定遊技状態となって、後述する可変入賞球装置１０の開閉板１１を所定の態様で開放駆動する。なお、可変表示装置３０の詳細な構成については、後に詳述する。
【００１２】上記した可変表示装置３０と始動口装置４と可変入賞球装置１０との関係について簡単に説明すると、発射された打玉が始動入賞口５又は電動始動入賞口６に入賞すると、可変表示装置３０の回転ドラム３８ａ〜３８ｃが可変表示を開始し、一定時間（例えば、６秒）が経過すると順次停止する。そして、回転ドラム３８ａ〜３８ｃの停止時の識別情報の組合せが所定の大当り図柄（例えば、７のゾロ目等）となったときに、特定遊技状態となり、可変入賞球装置１０の開閉板１１を所定期間（例えば、３０秒経過するまで、あるいは１０個の入賞玉が発生するまで）開放するように設定され、その開放している間遊技領域３を落下する打玉を入賞領域内に受け入れるようになっている。そして、受け入れられた打玉が特定入賞口に設けられる特定玉検出器１３をＯＮさせると、継続権が成立して再度上記した開放状態を繰り返し、開放状態中において特定玉検出器１３がＯＮする毎に上記した開放状態を連続して最高１６回繰り返すことができるように設定されている。
【００２６】上記のようにして開放された電動始動入賞口６に打玉が入賞すると、回転ドラム３８ａ〜３８ｃが回転開始するが、その動作を図９及び図１０を参照して説明する。図９は、始動入賞口５及び電動始動入賞口６に打玉が入賞したときの回転ドラム３８ａ〜３８ｃの可変表示制御を示すタイムチャートである。図１０は、打玉が始動入賞口５及び電動始動入賞口６に入賞したときに決定される大当り図柄の選択方法を説明する説明図である。ただし、この図１０は、前記設定スイッチ６４が設けられている場合には、その設定値が「２」である場合を示している。図において、始動入賞口５及び電動始動入賞口６に打玉が入賞して始動入賞玉検出器８、９をＯＮさせ、始動信号Ｓ１が導出されると、その始動信号Ｓ１の立ち上がり時にランダム１及びランダム２又はランダム３からそれぞれ１つの値が抽出される。ランダム１は、図１０に示すように、大当り図柄か否かを決定するためのランダム数であり、後述する図１６に示すように、電源投入後割り込み処理毎に「０〜２４７」の２４８通りの数値が刻々と変動しており、ランダム２は、大当り図柄の配列パターンを決定するためのランダム数であり、電源投入後割り込み処理毎及びその割り込み処理の余り時間毎に「０〜２３」の２４通りの数値が刻々と変動しており、ランダム３は、外れ図柄の表示パターンを決定するためのランダム数であり、電源投入後割り込み処理毎及びその割り込み処理の余り時間毎に「０〜５８３１」の５８３２通りの数値が刻々と変動している。また、始動信号Ｓ１導出後、０．１３０秒経過したときにランダム１に格納された値を読み出し、更に、０．１３２秒経過したときに格納したランダム２及び３の値を読み出すと共にランダム６から１つの値が抽出される。このランダム６は、前記飾り図柄３４に表示される図柄を決定するためのランダム数であり、直接遊技内容に関係するものではない。
【００２７】しかして、ランダム１から抽出された数値が例えば、「１２８」であるときには、大当りと判断され、その時抽出されたランダム２の値に対応した図柄配列パターン（後述する図１４及び図１５に示す）が回転ドラム３８ａ〜３８ｃに表示される。一方、ランダム１から抽出された数値が上記以外のときには、外れと判断され、その時抽出されたランダム３の値に対応する図柄配列パターンが回転ドラム３８ａ〜３８ｃに表示される。ただし、偶然大当り図柄と一致した場合には、ランダム３に「１」を加算して、外れ図柄にして表示するようになっている。上記した大当り外れの決定は、通常の確率時（以下、低確率時という）の場合であり、後述するように、確率の変更が行われたとき（以下、高確率時という）には、ランダム１から抽出された値が「１２８〜１３７」のいずれかの値であるときに、大当りと判断されるようになっている。したがって、低確率時における大当りとなる確率は、１／２４８であるのに対し、高確率時における大当りとなる確率は、１０／２４８となって、１０倍に変更されたことになる。なお、高確率時における倍数を前記した設定スイッチ６４等（別のスイッチを設けても良い）で任意の値に変更調節できるようにしても良い。
【００２８】上記したように、始動信号Ｓ１の導出時に、回転ドラム３８ａ〜３８ｃに表示される図柄が当りか否かが決定されると共に、停止時に表示される図柄も決定され、それらの決定が終了した後（本実施例においては、始動信号Ｓ１導出後０．１５６秒〜０．１６４秒経過後）、回転ドラム３８ａ〜３８ｃの変動が僅かな時間差を置いて開始される。しかして、左回転ドラム３８ａの変動表示においては、基本時間（５．１００秒）の間、所定の変動速度に設定されて変動し、基本時間が経過すると、１図柄分の変動時間が経過したときに停止される。同様に右回転ドラム３８ｃの変動表示においては、上記と同じ基本時間（５．１００秒）の間、所定の変動速度に設定されて変動し、基本時間が経過すると、６図柄分の変動時間が経過したときに停止される。
【００３３】ところで、回転ドラム３８ａ〜３８ｃの停止時に表示される図柄が大当り図柄の組合せとなる態様は、図１５に示す３つの当りラインマル１〜マル３を考慮にいれた場合には前記したように２４通りあり、この２４通りの組合せ態様が図１４に示すように「０〜２３」のランダム２に対応せしめられている。そして、その大当り組合せ態様のうち、「７（ＣＨＡＮＳＥ）」及び「ＢＩＧ」の特別大当り図柄で特定遊技状態となった場合（どの当りラインでもよい）には、普通図柄用可変表示器３５及び回転ドラム３８ａ〜３８ｃが特定表示結果を表示する確率が向上するよう制御される。この点について図１６乃至図１９を参照して説明する。図１６は、割り込み信号（定期リセット信号）が入力される毎（例えば、２ｍｓｅｃ）に実行されるメインルーチンを示すフロー図であり、図１７は、確率変動の変動カウンタ更新サブルーチンを示すフロー図であり、図１８は、確率変動の変動規制サブルーチンを示すフロー図であり、図１９は、図１７及び図１８に示す処理の具体的な動作の一例を示すタイミングチャートである。
【００３９】なお、上記した実施例では、確率向上を抑制する手段として、確率変動規制カウンタＣ２の値が所定の累積数に到達したときに確率変動カウンタＣ１を「０」にリセットして直ちに確率向上期間の延長を禁止するものを示したが、確率向上の原因となる確変図柄の出現を禁止又は抑制することにより、確率向上を抑制するようにしても良い。このような例として図２０及び図２１に示す処理を行えば良い。図２０は、確変図柄の出現を確実に防止するためのフロー図であり、図２１は、確変図柄の出現を抑制するためのフロー図である。まず、図２０について説明すると、前記Ｓ８０及びＳ１１０のランダム２の作成処理において、Ｓ４００でランダム２に「１」ずつの加算処理が行われ、その後、Ｓ４１０で確率変動規制カウンタＣ２の値が「６以上」であるか否かが判別され、「６以上」であれば、累積計数値が予定値を超えているとして、Ｓ４２０でランダム２の現在の値が「１８以上」か否かが判別され、ランダム２の値が「１８」より小さい場合（確変図柄でない場合）には、そのままサブルーチンを終了し、ランダム２の値が「１８以上」の場合（確変図柄の場合）には、Ｓ４３０でランダム２の値をクリアして「０」に設定してサブルーチンを終了する。したがって、累積計数値が予定値を超えている場合には、ランダム２の値が確変図柄（図１４参照）に対応する数値となることはないので、確率向上期間を延長する原因となる確変図柄による大当りの発生を完全に禁止することができる。一方、前記Ｓ４１０で確率変動規制カウンタＣ２の値が「６」より小さいと判別されたときには、未だ累積計数値が予定値を超えていないので、Ｓ４４０でランダム２の値が「２４以上」か否かが判別され、「２４以上」でなければ、そのままサブルーチンを終了し、ランダム２の値が「２４以上」の場合には、Ｓ４５０でランダム２の値をクリアして「０」に設定してサブルーチンを終了する。このように、この処理の場合には、確率変動カウンタＣ１の値が残存しているときには、その値が「０」にリセットされず、確変図柄以外の大当り図柄による大当り遊技状態がその後の短い期間に発生するので、図１９の処理の場合と比較して遊技者の不満を和らげることができる。なお、Ｓ４３０のクリア処理に代えて、次に説明するＳ５３０のように確変図柄以外の図柄に対応する数値にランダム２を書き換えても良い。
　
　摘記した上記の記載や図面等によれば、引用文献には以下の発明（以下「引用発明」という）が記載されている。
　なお、引用文献の記載では「値」と「数値」の語が混在しているので、以下では、ランダム１、２及び３については「数値」を用い、確率変動規制カウンタＣ２については「値」を用いることとする。
「　遊技領域３に配置され、複数の図柄を表示することが可能な可変表示部材３８ａ〜３８ｃを有する可変表示装置３０と、
　始動入賞口５又は電動始動入賞口６に打玉が入賞して始動入賞玉検出器８、９をＯＮさせ、始動信号Ｓ１が導出されると、ランダム１から抽出された数値により前記可変表示部材３８ａ〜３８ｃに表示される図柄が大当りか否かが決定されると共に、その時抽出されたランダム２又はランダム３の数値に対応して停止時に表示される図柄も決定され、低確率時における大当りとなる確率は１／２４８、高確率時における大当りとなる確率は１０／２４８であり、
　前記可変表示部材３８ａ〜３８ｃが可変表示を開始し、一定時間が経過すると順次停止し、
　その表示結果が予め定めた大当り図柄の組合せとなったときに、特定遊技状態となって、可変入賞球装置１０の開閉板１１を所定の態様で開放駆動し、
　前記大当り図柄の組合せ態様のうち、７及びＢＩＧの特別大当り図柄で特定遊技状態となった場合には、前記高確率時となるよう制御される
　パチンコ遊技機において、
　前記大当り図柄の組合せとなる態様は２４通りあり、確率変動規制カウンタＣ２の値が６より小さいと判別されたときには、ランダム２は０〜２３の２４通りの数値が刻々と変動しており、
　２４通りの前記大当り図柄の組合せとなる態様が０〜２３のランダム２に対応せしめられ、
　前記確率変動規制カウンタＣ２の値が６以上であれば、ランダム２の数値が確変図柄に対応する数値となることはなく、
　抽出されたランダム２の数値に対応した大当り図柄の組合せとなる態様が前記可変表示部材３８ａ〜３８ｃに表示されるものであって、前記確率変動規制カウンタＣ２の値が６より小さいと判別されたときには、０〜２３の２４通りの数値から抽出されたランダム２の数値に対応した大当り図柄の組合せとなる態様が決定され、前記確率変動規制カウンタＣ２の値が６以上であれば、ランダム２の数値が確変図柄に対応する数値となることはないので、確変図柄による大当りの発生を完全に禁止することができる
　パチンコ遊技機。」
　
（２）引用発明と本願補正発明との対比
　そこで、本願補正発明と引用発明とを比較すると、引用発明の「遊技領域３に配置され」は、本願発明の「遊技域に設けられ」に相当し、以下同様に、
「複数の図柄を表示することが可能な」は「複数の図柄を配列させて表示可能な」に、
「可変表示部材３８ａ〜３８ｃ」及び「可変表示装置３０」は「表示手段」に、
「打玉」は「遊技球」に、
「始動入賞玉検出器８、９」は「予め所定箇所に設置された通過センサ」に、
「パチンコ遊技機」は「パチンコ機」に、それぞれ相当する。
　さらに、引用文献の記載等からみて、以下のことが言える。
　
ａ．引用発明において「始動入賞口５又は電動始動入賞口６に打玉が入賞して始動入賞玉検出器８、９をＯＮさせ、始動信号Ｓ１が導出される」ということは、始動入賞玉検出器８、９により入賞した打玉の通過が検知されていることにほかならないから、本願補正発明の「予め所定箇所に設置された通過センサにより遊技球の通過が検知される」ことに相当する。
　また、引用発明において「可変表示部材３８ａ〜３８ｃに表示される図柄が大当りか否かが決定されると共に、」「停止時に表示される図柄も決定され」ることは、可変表示部材３８ａ〜３８ｃの停止時に表示される図柄の配列が設定されることにほかならないから、引用発明は、本願補正発明の「表示手段に表示する図柄の配列を設定」する「設定手段」に相当する構成を備えるものであるといえる。
　さらに、引用文献の段落【００２６】に、ランダム２が大当り図柄の配列パターンを決定するためのランダム数である旨記載されていることからみて、引用発明においても大当り図柄の配列パターンは複数種類あることが分かり、加えて、引用発明において「低確率時における大当りとなる確率は１／２４８、高確率時における大当りとなる確率は１０／２４８」であることは、上記大当り図柄の配列パターンのいずれかが所定確率で設定されることにほかならないので、引用発明は、本願補正発明の「所定確率で、予め設定された複数種類の大当たり配列の内のいずれかを設定する設定手段」に相当する構成を備えるものであるといえる。
　
ｂ．引用発明において「可変表示部材３８ａ〜３８ｃが可変表示を開始し、一定時間が経過すると順次停止」することは、可変表示部材３８ａ〜３８ｃの複数の図柄を次々と表示させた後、停止表示することにほかならず、停止時に表示される図柄は事前に決定されているから、引用発明は、本願補正発明の「表示手段に、様々な図柄を次々と表示させた後、前記設定手段によって設定された配列を表示する制御手段」に相当する構成を備えるものであるといえる。
　
ｃ．引用発明の「その表示結果が予め定めた大当り図柄の組合せとなったとき」は、本願補正発明の「前記表示手段に表示された配列が、前記大当たり配列に一致した場合」に相当し、しかも、引用発明の「特定遊技状態となって、可変入賞球装置１０の開閉板１１を所定の態様で開放駆動」することは、遊技者に特典を付与することにほかならならず、引用発明が可変表示部材３８ａ〜３８ｃを停止させた時の表示結果を制御する手段を備えていることも明らかであるから、引用発明は、本願補正発明の「制御手段によって前記表示手段に表示された配列が、前記大当たり配列に一致した場合には、当該パチンコ機の遊技者に特典を付与する特典付与手段」に相当する構成を備えるものであるといえる。
　
ｄ．引用発明において「大当り図柄の組合せ態様のうち、７及びＢＩＧの特別大当り図柄で特定遊技状態となった場合」は、本願補正発明において「表示手段に表示された大当たり配列が前記複数種類の中から予め設定された確変配列である場合」に相当し、また、引用発明において「高確率時となるよう制御される」ことは、本願補正発明において「設定手段が大当たり配列を設定する確率を、前記所定確率よりも高く」することに相当するから、引用発明は、本願補正発明の「前記制御手段によって前記表示手段に表示された大当たり配列が前記複数種類の中から予め設定された確変配列である場合には、前記設定手段が大当たり配列を設定する確率を、前記所定確率よりも高く」する「確率変動手段」に相当する構成を備えているということができる。
　
ｅ．引用発明においては、大当り図柄の組合せとなる態様はランダム２が取り得る数値０〜２３の２４通りあり、この「２４」が本願補正発明の「大当たり配列の総数」に相当するといえる。
　そして、引用発明の「ランダム２」は、確率変動規制カウンタＣ２の値が６より小さいと判別されたときには、０〜２３の２４通りの数値が刻々と変動しており、その中から１つの数値が抽出されるのであるから、２４種類の乱数を発生させるものといえる。
　そうしてみると、引用発明の、確率変動規制カウンタＣ２の値が６より小さいと判別されたときにおける「ランダム２」は、本願補正発明の「前記大当たり乱数発生手段により発生された乱数」に相当するものということができる。
　よって、引用発明は、本願補正発明の「大当たり配列の総数と同数の種類からなる乱数を発生させる大当たり乱数発生手段」に相当する構成を備えたものであるといえる。
　
ｆ．引用発明において、大当り図柄の組合せとなる態様は全部で２４通りあり、ランダム２から抽出される０〜２３の各数値にその２４通りの大当り図柄の組合せとなる態様が対応せしめられているのであるから、引用発明は、本願補正発明の「大当たり乱数発生手段によって発生される各乱数と対応させて、全ての大当たり配列が格納された大当たり配列格納部」に相当する構成を備えるものであるといえる。
　
ｇ．引用発明の「ランダム２」は、確率変動規制カウンタＣ２の値が６以上であれば、その値が確変図柄に対応する数値となることがないものであるが、それは裏を返せば、その値が確変図柄以外に対応する数値のみであるということである。このことは、図２０においてＣ２≧６のときにランダム２≧１８ならばランダム２クリア処理を行い０に設定してサブルーチンを終了していること、及び図２０におけるＳ４００処理後のランダム２が１から２４のいずれかの数値をとること（摘記した段落【００２６】の記載から分かる）から、Ｃ２≧６のとき図２０の処理後にランダム２の取り得る数値は０〜１７の１８通りであり、図１４に記載されるようにランダム２の０〜１７に対応する大当り図柄が７及びＢＩＧ以外となっていることからみても明らかである。
　そして、引用発明において、確変図柄以外というのは、本願補正発明の「通常配列」に相当するものといえるから、引用発明の、確率変動規制カウンタＣ２の値が６以上であるときにおける「ランダム２」は、本願補正発明の「前記通常乱数発生手段により出力された乱数」に相当するものということができる。
　よって、引用発明は、本願補正発明の「大当たり配列格納部において、通常配列と対応された乱数のみを発生させる通常乱数発生手段」に相当する構成を備えたものであるといえる。
　
ｈ．引用発明において「抽出されたランダム２の数値に対応した大当り図柄の組合せとなる態様が可変表示部材３８ａ〜３８ｃに表示される」ということは、２４通りある「大当り図柄の組合せとなる態様」の中から「抽出されたランダム２の数値」に応じた態様のものを選択して「大当り図柄の組合せ」の設定を行うことと言い換えることができるから、引用発明は、本願補正発明の「大当たり配列の設定を、前記大当たり配列格納部に格納されたものの中から選択することにより行なうもの」である点で一致しているといえる。
　また、引用発明の「確率変動規制カウンタＣ２」は“高確率時となった回数”をカウントするものであって、“高確率時となった回数”は、本願補正発明の「確変配列を設定した回数」に相当し、引用発明における「確率変動規制カウンタＣ２の値が６より小さいと判別されたとき」及び「確率変動規制カウンタＣ２の値が６以上であれば」は、それぞれ本願補正発明における「確変配列を設定した回数が所定回数に満たない場合」及び「所定回数、確変配列を設定した場合」に対応させることができる。
　そして、引用発明において「０〜２３の２４通りの数値から抽出されたランダム２の数値に対応した大当り図柄の組合せとなる態様が決定され」ること、及び「ランダム２の数値が確変図柄に対応する数値となることはないので、確変図柄による大当りの発生を完全に禁止することができる」ことは、上記ｇで述べたことを考え合わせると、それぞれ本願補正発明における「大当たり乱数発生手段により発生された乱数に基づき、前記選択を行な」うこと及び「通常乱数発生手段により出力された乱数に基づき、前記選択を行なう」ことに相当するものということができる。
　そうしてみると、引用発明と本願補正発明は「大当たり配列の設定を、前記大当たり配列格納部に格納されたものの中から選択することにより行なうものであって、確変配列を設定した回数が所定回数に満たない場合には、前記大当たり乱数発生手段により発生された乱数に基づき、前記選択を行ない、一方、前記所定回数、確変配列を設定した場合には、前記通常乱数発生手段により出力された乱数に基づき、前記選択を行なう大当たり配列設定手段」を備える点では共通しているといえる。
　
　以上を総合すると、両者は、
「　遊技域に設けられ、複数の図柄を配列させて表示可能な表示手段と、
　予め所定箇所に設置された通過センサにより遊技球の通過が検知されると、前記表示手段に表示する図柄の配列を設定し、しかも前記配列として所定確率で、予め設定された複数種類の大当たり配列の内のいずれかを設定する設定手段と、
　前記表示手段に、様々な図柄を次々と表示させた後、前記設定手段によって設定された配列を表示する制御手段と、
　該制御手段によって前記表示手段に表示された配列が、前記大当たり配列に一致した場合には、当該パチンコ機の遊技者に特典を付与する特典付与手段と、
　前記制御手段によって前記表示手段に表示された大当たり配列が前記複数種類の中から予め設定された確変配列である場合には、前記設定手段が大当たり配列を設定する確率を、前記所定確率よりも高くする確率変動手段と、
　を備えたパチンコ機において、
　前記設定手段が、
　大当たり配列の総数と同数の種類からなる乱数を発生させる大当たり乱数発生手段と、
　該大当たり乱数発生手段によって発生される各乱数と対応させて、全ての大当たり配列が格納された大当たり配列格納部と、
　前記大当たり配列格納部において、通常配列と対応された乱数のみを発生させる通常乱数発生手段と、
　大当たり配列の設定を、前記大当たり配列格納部に格納されたものの中から選択することにより行なうものであって、確変配列を設定した回数が所定回数に満たない場合には、前記大当たり乱数発生手段により発生された乱数に基づき、前記選択を行ない、一方、前記所定回数、確変配列を設定した場合には、前記通常乱数発生手段により出力された乱数に基づき、前記選択を行なう大当たり配列設定手段と、
　を備えたパチンコ機。」
の点で一致し、以下の点で相違している。
　
［相違点１］本願補正発明は、「確率変動手段」が「大当たり配列が設定される確率が高められた状態において、更に大当たり配列として通常配列が前記表示手段に表示されると、前記設定手段が大当たり配列を設定する確率を、前記所定確率に戻す」ものであるのに対し、引用発明では「高確率時」において、大当り図柄の組合せが７でもＢＩＧでもないとき必ずしも「低確率時」に戻らない点（【図１９】（Ａ）に示されるように、大当り図柄の組合せが７で高確率になった場合には、次の大当り図柄の組合せが７及びＢＩＧ以外であっても、高確率となっている）。
　
［相違点２］「大当たり配列設定手段」に関して、本願補正発明は「連続して確変配列を設定した回数が所定回数に満たない場合」及び「所定回数、連続して確変配列を設定した場合」という条件で「大当たり配列」選択の行ない方を変えているのに対し、引用発明は「確率変動規制カウンタＣ２の値が６より小さいと判別されたとき」及び「確率変動規制カウンタＣ２の値が６以上であれば」という条件で「大当り図柄の組合せとなる態様」決定の行ない方を変えている点、すなわち、引用発明の「確率変動規制カウンタＣ２の値」が、本願補正発明の「確変配列を設定した回数」に相当する“高確率時となった回数”を“連続して”カウントしたものであるのか否か不明である点。
　
（３）相違点の検討
［相違点１について］
　パチンコ機において、確変図柄以外で大当りとなった場合に高確率の状態を終了させるようにすることは、例えば、特開平７−６８０２８号公報（特に、段落【００３５】、【００３６】及び図１１）、特開平６−３２７８２９号公報（特に、段落【０１０９】及び図１０）に記載されるように従来周知の技術（以下「周知技術」という。）であり、確変図柄以外で大当りとなった場合に高確率の状態を連続して発生させるようにする条件を追加するか否かは、パチンコ機の分野における通常の知識を有する者（以下「当業者」という。）が、適宜選択し得る事項と判断されるから、引用発明において、７及びＢＩＧの特別大当り図柄以外の図柄で特定遊技状態となった場合には必ず高確率時から低確率時に戻すようにして、相違点１に係る本願補正発明のような構成とすることは、当業者が容易に想到し得る。
　
［相違点２について］
　摘記した段落【０００４】に記載されているように、引用発明は、「確率向上期間中に特別表示結果が表示されるかぎり、長期間に亘って確率向上期間が延長されることとなり、遊技場に多大な損害を与える」という課題に対する解決手段としてなされたものである。
　そして、「確率向上期間中に特別表示結果が表示されるかぎり、長期間に亘って確率向上期間が延長される」というのは、連続して確率向上期間の状態が続くことを意味している。
　そうであるならば、引用発明の「確率変動規制カウンタＣ２の値」を“高確率時となった回数”を“連続して”カウントしたものとして、相違点２に係る本願補正発明のような構成とすることは、当業者が容易に想到し得ることといえる。
　
（４）まとめ
　以上のように相違点１及び２は、いずれも当業者が容易に想到し得るものであり、本願補正発明の作用効果も、引用発明、周知技術及び引用文献に記載された事項に基いて当業者が予測できる範囲のものである。
　よって、本願補正発明は、引用発明、周知技術及び引用文献に記載された事項に基いて、当業者が容易に発明をすることができたものであるから、特許法第２９条第２項の規定により特許出願の際独立して特許を受けることができないものである。
　
４．むすび
　したがって、本件補正は、改正前特許法第１７条の２第５項において準用する同法第１２６条第５項の規定に違反するので、同法第１５９条第１項において読み替えて準用する同法第５３条第１項の規定により却下されるべきものである。
　
第三．本願発明について
１．本願発明
　平成２０年１月２５日付の手続補正は上記のとおり却下されたので、本願の請求項１に係る発明（以下、同項記載の発明を「本願発明」という。）は、平成１９年６月１２日付手続補正書の特許請求の範囲の請求項１に記載された事項により特定される、以下のとおりのものである。
「　遊技域に設けられ、複数の図柄を配列させて表示可能な表示手段と、
　予め所定箇所に設置された通過センサにより遊技球の通過が検知されると、前記表示手段に表示する図柄の配列を設定し、しかも前記配列として所定確率で、予め設定された複数種類の大当たり配列の内のいずれかを設定する設定手段と、
　前記表示手段に、様々な図柄を次々と表示させた後、前記設定手段によって設定された配列を表示する制御手段と、
　該制御手段によって前記表示手段に表示された配列が、前記大当たり配列に一致した場合には、当該パチンコ機の遊技者に特典を付与する特典付与手段と、
　前記制御手段によって前記表示手段に表示された大当たり配列が前記複数種類の中から予め設定された確変配列である場合には、前記設定手段が大当たり配列を設定する確率を、前記所定確率よりも高くし、大当たり配列が設定される確率が高められた状態において、更に大当たり配列として通常配列が前記表示手段に表示されると、前記設定手段が大当たり配列を設定する確率を、前記所定確率に戻す確率変動手段と、
　を備えたパチンコ機において、
　前記設定手段が、
　大当たり配列の総数と同数の種類からなる乱数を発生させる大当たり乱数発生手段と、
　該大当たり乱数発生手段によって発生される各乱数と対応させて、全ての大当たり配列が格納された大当たり配列格納部と、
　前記大当たり配列格納部において、通常配列と対応された乱数を発生させる通常乱数発生手段と、
　大当たり配列の設定を、前記大当たり配列格納部に格納されたものの中から選択することにより行なうものであって、連続して確変配列を設定した回数が所定回数に満たない場合には、前記大当たり乱数発生手段により発生された乱数に基づき、前記選択を行ない、一方、前記所定回数、連続して確変配列を設定した場合には、前記通常乱数発生手段により出力された乱数に基づき、前記選択を行なう乱数選択手段と、
　を備えたものであることを特徴とするパチンコ機。」　
　
２．特許法第２９条第２項の検討
（１）引用文献記載事項
　原査定の拒絶の理由に引用された引用文献及びその記載事項は、前記「第二．３．（１）」に記載したとおりである。
　
（２）引用発明と本願発明との対比
　本願発明は、前記「第二」で検討した本願補正発明から「通常乱数発生手段」の限定事項である、「のみ」との構成を省いたものといえる。
　そうすると、本願発明の構成要件を全て含み、さらに他の構成要件を付加したものに相当する本願補正発明が、前記「第二．３．（３）」に記載したとおり、引用発明、周知技術及び引用文献に記載された事項に基いて、当業者が容易に発明をすることができたものであるから、本願発明も、同様の理由により、引用発明、周知技術及び引用文献に記載された事項に基いて、当業者が容易に発明をすることができたものである。
　
（３）まとめ
　以上のとおり、本願発明は、引用発明、周知技術及び引用文献に記載された事項に基いて、当業者が容易に発明をすることができたものであるから、特許法第２９条第２項の規定により特許を受けることができない。
　
第四．むすび
　本願発明は、特許法第２９条第２項の規定により特許を受けることができないものである。
　よって、結論のとおり審決する。